(57)【要約】    【課題】      通話相手を呼び出すためのサーバーを作成せずにコストを低減するとともに、個人情報の漏洩を防ぐこと。    【解決手段】  記憶部１０３は、通信装置１００が備え付けられている自動車の所有者の携帯電話の番号を記憶している。比較回路１０４は、受信回路１０１にて受信した自動車を識別するための情報である自動車識別情報のナンバープレートの番号と、記憶部１０２に記憶されている通信装置１００が備え付けられている自動車の固有の情報である自動車固有情報のナンバープレートの番号とが一致するか否かを判定する。発呼回路１０５は、ナンバープレートの番号が一致する場合には、自動車の所有者の携帯電話を呼び出すための発呼信号を出力する。データ切り替え部１０９は、音声データの入出力を切り替える。  【選択図】      図１
2005244485.tif 000002
【特許請求の範囲】
【請求項１】
自動車の所有者との通話を希望する通話希望者から送信された自動車を識別するための情報である自動車識別情報を受信する受信手段と、
自動車毎に固有の情報である自動車固有情報を記憶する記憶手段と、
前記受信手段にて受信された前記自動車識別情報と前記記憶手段にて記憶されている前記自動車固有情報とに基づいて通話を開始するか否かを決定する通話判定手段と、
前記通話判定手段にて通話を開始することが決定された場合には前記自動車の所有者の端末装置を呼び出すとともに前記通話希望者により入力された音声または画像のデータの前記端末装置への出力を開始する出力手段と、
を具備することを特徴とする通信装置。
【請求項２】
前記受信手段は、前記自動車識別情報である自動車のナンバープレートの番号の情報を受信し、
前記記憶手段は、前記自動車固有情報である自動車のナンバープレートの番号の情報を記憶し、
前記通話判定手段は、前記自動車識別情報の前記ナンバープレートの番号と前記自動車固有情報の前記ナンバープレートの番号とが一致する場合に通話を開始することを決定することを特徴とする請求項１記載の通信装置。
【請求項３】
自動車の所有者との通話を希望する通話希望者から送信された自動車を識別するための情報である自動車識別情報を受信するステップと、
自動車毎に固有の情報である自動車固有情報を記憶するステップと、
受信された前記自動車識別情報と記憶されている前記自動車固有情報とに基づいて通話を開始するか否かを決定するステップと、
通話を開始することが決定された場合には自動車の所有者の端末装置を呼び出すとともに前記通話希望者により入力された音声または画像のデータの前記端末装置への出力を開始するステップと、
を具備することを特徴とする通信方法。
【請求項４】
前記自動車識別情報である自動車のナンバープレートの番号の情報を受信し、
前記自動車固有情報である自動車のナンバープレートの番号の情報を記憶し、
前記自動車識別情報の前記ナンバープレートの番号と前記自動車固有情報の前記ナンバープレートの番号とが一致する場合に通話を開始することを決定することを特徴とする請求項３記載の通信方法。
【発明の詳細な説明】
【技術分野】
【０００１】
本発明は、通信装置及び通信方法に関し、特に通信相手を認識することなく通信相手を呼び出して通話を行う通信装置及び通信方法に関する。
【背景技術】
【０００２】
従来、自動車の搭乗者との通話システムとして、図４に示すものが知られている（例えば、特許文献１）。図４に示すように、インターネットなどの電気通信回線１にナンバー登録用サーバー２を接続し、ナンバー登録用サーバー２にナンバー登録サイトを開設して、ナンバー登録サイトで仲介することにより自動車の搭乗者と通話することができるようにしている。搭乗者はあらかじめナンバー登録サイトにアクセスし、搭乗者が搭乗する自動車に搭載されることになる搭乗者用通信機器３の固有電話番号と、自動車のナンバープレートのナンバーとをナンバー登録サイトに登録することにより、登録したナンバー自体を受信番号とすることができるようにしている。搭乗者用通信機器３は、ナンバー登録サイトにアクセス可能とするブラウザソフト、及び、電子メールを扱うことができる電子メールソフトが組み込まれた携帯電話である。中継基地４は、無線通信機器である搭乗者用通信機器３と有線の電気通信回線１とを接続する。
【０００３】
一方、搭乗者との通話を希望する非搭乗者は、非搭乗者が所有する非搭乗者用通信機器６を用いてナンバー登録サイトにアクセスし、通話したい搭乗者が搭乗している自動車に配設されたナンバープレートのナンバーを入力することによって、搭乗者の搭乗者用通信機器３に対して通話呼出を行い、搭乗者と通話することができるようにしている。非搭乗者用通信機器６は、ナンバー登録サイトにアクセス可能とするブラウザソフト、及び、電子メールを扱うことができる電子メールソフトが組み込まれた携帯電話である。中継基地７は、無線通信機器である非搭乗者用通信機器６と有線の電気通信回線１とを接続する。
【特許文献１】特開２００２−３４５０２４号公報
【発明の開示】
【発明が解決しようとする課題】
【０００４】
しかしながら、従来の通信装置及び通信方法においては、ナンバー登録用サーバー２を介して搭乗者と非搭乗者とが通話できるようにするものであり、ナンバー登録用サーバー２は必ず必要である。しかし、陸運局にて管理されている自動車のナンバーの情報は、自動車のナンバーと所有者の氏名及び住所とを関係付けているものであり、自動車のナンバーと所有者の携帯電話等の電話の番号とを関係付けるものではない。したがって、ナンバー登録用サーバー２に登録される自動車のナンバーの情報は、陸運局にて管理されている情報とは別に新たに作成する必要があるので、ナンバー登録用サーバー２を作成するための労力が大変であるという問題がある。また、従来の通信装置及び通信方法においては、インターネットなどの電気通信回線１により、他人が容易にナンバー登録用サーバー２に接続することが可能であるので、個人情報が漏洩する可能性があるという問題がある。
【０００５】
本発明はかかる点に鑑みてなされたものであり、通話相手を呼び出すためのサーバーを作成する必要がないのでコストを低減することができるとともに、個人情報の漏洩を防ぐことができる通信装置及び通信方法を提供することを目的とする。
【課題を解決するための手段】
【０００６】
本発明の通信装置は、自動車の所有者との通話を希望する通話希望者から送信された自動車を識別するための情報である自動車識別情報を受信する受信手段と、自動車毎に固有の情報である自動車固有情報を記憶する記憶手段と、前記受信手段にて受信された前記自動車識別情報と前記記憶手段にて記憶されている前記自動車固有情報とに基づいて通話を開始するか否かを決定する通話判定手段と、前記通話判定手段にて通話を開始することが決定された場合には前記自動車の所有者の端末装置を呼び出すとともに前記通話希望者により入力された音声または画像のデータの前記端末装置への出力を開始する出力手段と、を具備する構成を採る。
【０００７】
この構成によれば、受信された自動車識別情報と記憶されている自動車固有情報とに基づいて通話を開始するか否かを決定することにより、通信相手を呼び出すためのサーバーを作成する必要がないので、コストを低減することができる。また、他人が容易に接続可能なサーバーに自分が所有する自動車のナンバープレートの番号等の個人に関する情報を保存しておく必要がないので、個人情報の漏洩を防ぐことができる。
【０００８】
本発明の通信装置は、前記構成において、前記受信手段は、前記自動車識別情報である自動車のナンバープレートの番号の情報を受信し、前記記憶手段は、前記自動車固有情報である自動車のナンバープレートの番号の情報を記憶し、前記通話判定手段は、前記自動車識別情報の前記ナンバープレートの番号と前記自動車固有情報の前記ナンバープレートの番号とが一致する場合に通話を開始することを決定する構成を採る。
【０００９】
この構成によれば、前記効果に加えて、自動車識別情報及び自動車固有情報にナンバープレートの番号の情報を用いるので、簡単な方法にて各自動車を識別することができるとともに、新たに各自動車を識別するための識別情報を作成する必要がないので、システム全体のコストを低減することができる。
【００１０】
本発明の通信方法は、自動車の所有者との通話を希望する通話希望者から送信された自動車を識別するための情報である自動車識別情報を受信するステップと、自動車毎に固有の情報である自動車固有情報を記憶するステップと、受信された前記自動車識別情報と記憶されている前記自動車固有情報とに基づいて通話を開始するか否かを決定するステップと、通話を開始することが決定された場合には自動車の所有者の端末装置を呼び出すとともに前記通話希望者により入力された音声または画像のデータの前記端末装置への出力を開始するステップと、を具備するようにした。
【００１１】
この方法によれば、受信された自動車識別情報と記憶されている自動車固有情報とに基づいて通話を開始するか否かを決定することにより、通信相手を呼び出すためのサーバーを作成する必要がないので、コストを低減することができる。また、他人が容易に接続可能なサーバーに自分が所有する自動車のナンバープレートの番号等の個人に関する情報を保存しておく必要がないので、個人情報の漏洩を防ぐことができる。
【００１２】
本発明の通信方法は、前記方法において、前記自動車識別情報である自動車のナンバープレートの番号の情報を受信し、前記自動車固有情報である自動車のナンバープレートの番号の情報を記憶し、前記自動車識別情報の前記ナンバープレートの番号と前記自動車固有情報の前記ナンバープレートの番号とが一致する場合に通話を開始することを決定するようにした。
【００１３】
この方法によれば、前記効果に加えて、自動車識別情報及び自動車固有情報にナンバープレートの番号の情報を用いるので、簡単な方法にて各自動車を識別することができるとともに、新たに各自動車を識別するための識別情報を作成する必要がないので、システム全体のコストを低減することができる。
【発明の効果】
【００１４】
本発明によれば、通話相手を呼び出すためのサーバーを作成する必要がないのでコストを低減することができるとともに、個人情報の漏洩を防ぐことができる。
【発明を実施するための最良の形態】
【００１５】
本発明の骨子は、受信された自動車識別情報（ナンバープレートの番号の情報）と記憶されている自動車固有情報（ナンバープレートの番号の情報）とに基づいて通話を開始するか否かを決定し、通話を開始することが決定された場合には自動車の所有者の端末装置を呼び出すとともに通話希望者により入力された音声または画像のデータの自動車の所有者の端末装置への出力を開始することである。
【００１６】
以下、本発明の実施の形態について、図面を参照して詳細に説明する。
【００１７】
（実施の形態）
図１は、本発明の実施の形態に係る通信装置１００の構成を示すブロック図である。
【００１８】
受信回路１０１は、自動車の所有者との通話を希望する通話希望者の保有する赤外線通信機能を持つ端末装置から送信されたナンバープレートの番号の情報である自動車識別情報を受信し、受信した自動車識別情報を比較回路１０４へ出力する。
【００１９】
記憶部１０２は、通信装置１００が備え付けられる自動車のナンバープレートの番号の情報である自動車固有情報を記憶している。
【００２０】
記憶部１０３は、通信装置１００が備え付けられる自動車の所有者の携帯電話等の端末装置を呼び出すための電話番号の情報を記憶している。
【００２１】
比較回路１０４は、受信回路１０１から入力した自動車識別情報のナンバープレートの番号と記憶部１０２に記憶されている自動車固有情報のナンバープレートの番号とが一致するか否かを判定する。そして、比較回路１０４は、自動車識別情報のナンバープレートの番号と自動車固有情報のナンバープレートの番号とが一致する場合には発呼回路１０５及びデータ切り替え部１０９へ発呼開始信号を出力する。一方、比較回路１０４は、自動車識別情報のナンバープレートの番号と自動車固有情報のナンバープレートの番号とが一致しない場合には発呼開始信号は出力しない。
【００２２】
発呼回路１０５は、比較回路１０４から発呼開始信号が入力した場合には、記憶部１０３から読み出した電話番号の端末装置に対して発呼するための呼出信号を出力する。
【００２３】
通話者確認用入力部１０６は、例えばマイクまたはカメラを有し、通話希望者の音声または映像を電気信号に変換して、音声データまたは映像データとしてデータ切り替え部１０９へ出力する。
【００２４】
音声入力部１０７は、通話希望者の音声を電気信号に変換して音声データとしてデータ切り替え部１０９へ出力する。
【００２５】
音声出力部１０８は、データ切り替え部１０９から入力した音声データを電気信号から音声に変換して出力する。
【００２６】
データ切り替え部１０９は、比較回路１０４から発呼開始信号が入力した場合には、最初の数秒間において通話者確認用入力部１０６から入力した音声データまたは映像データを出力する。そして、データ切り替え部１０９は、通話者確認用入力部１０６から入力した音声データまたは映像データを出力してからの数秒間に接続を解除する制御信号が入力しない場合には、通話者確認用入力部１０６から入力した音声データまたは映像データの出力を停止して、音声入力部１０７から入力した音声データを出力するとともに入力した音声データを音声出力部１０８へ出力する。また、データ切り替え部１０９は、接続を解除する制御信号が入力した場合には、音声データまたは映像データの出力を停止する。
【００２７】
次に、通信装置１００を自動車に備えた場合において自動車の所有者を呼び出して通話する方法について、図２及び図３を用いて説明する。図２は、自動車の所有者を呼び出して通話する方法を示すフロー図であり、図３は、通話希望者と自動車の所有者とが通話する状態を示す模式図である。
【００２８】
最初に、通話希望者３０１は、自動車３０２のナンバープレートを確認し、通話希望者３０１が保有している図示しない端末装置から、確認したナンバープレートの番号の情報である自動車識別情報を通信装置１００へ送信する（ステップＳＴ２０１）。
【００２９】
次に、自動車識別情報を受信した通信装置１００は、比較回路１０４にて、記憶部１０２に記憶されている自動車固有情報のナンバープレートの番号と受信した自動車識別情報のナンバープレートの番号とが一致するか否かを判定する（ステップＳＴ２０２）。
【００３０】
ナンバープレートの番号が一致する場合には、発呼回路１０５は、自動車３０２に備え付けられている自動車３０２の所有者３０５の端末装置である携帯電話３０３へ発呼信号を出力する。そして、携帯電話３０３は、発呼信号が入力した場合には、電話網３０４を介して自動車３０２の所有者３０５が保有している図示しない端末装置に対して呼出を行う（ステップＳＴ２０３）。
【００３１】
次に、通信装置１００は、通話者確認用入力部１０６に入力した通話希望者３０１の音声または映像を、音声データまたは映像データとして出力する。そして、通信装置１００より出力された音声データまたは映像データは、携帯電話３０３及び電話網３０４を介して自動車３０２の所有者３０５の端末装置へ送信される（ステップＳＴ２０４）。
【００３２】
次に、通話希望者３０１の音声データまたは映像データを受信した端末装置を保有する自動車３０２の所有者３０５は、受信した通話希望者３０１の音声データまたは映像データを確認して、通話希望者３０１との通信の接続を継続するか否かを判定する（ステップＳＴ２０５）。
【００３３】
通話希望者３０１との通信の接続を継続する場合には、自動車３０２の所有者３０５は、数秒間待つ状態になる。そして、データ切り替え部１０９は、接続を解除する制御信号が入力しない場合、音声入力部１０７から入力した音声データを携帯電話３０３へ出力するとともに、携帯電話３０３から入力した音声データを音声出力部１０８へ出力することにより、通話希望者３０１と自動車３０２の所有者３０５との通話を開始する（ステップＳＴ２０６）。
【００３４】
次に、通信装置１００は、通話希望者３０１及び自動車３０２の所有者３０５の内の少なくともいずれか一方から通話を終了する意思表示があるか否かを監視して、通話を終了するか否かを判定する（ステップＳＴ２０７）。
【００３５】
通話を終了する意思表示がある場合には、通信装置１００は、通話希望者３０１と自動車３０２の所有者３０５との通話を終了する（ステップＳＴ２０８）。
【００３６】
一方、ステップＳＴ２０２において、ナンバープレートの番号が一致しない場合、通信装置１００は、通話希望者３０１の音声データまたは映像データを自動車３０２の保有者３０５には送信しない。
【００３７】
また、ステップＳＴ２０５において、通話希望者３０１との通信の接続を継続しない場合、自動車３０２の所有者３０５の端末装置より接続を継続しない旨の制御信号が、電話網３０４及び携帯電話３０３を介してデータ切り替え部１０９に入力する。そして、データ切り替え部１０９は、音声入力部１０７から入力した音声データを携帯電話３０３へ出力せずに通話を終了する（ステップＳＴ２０８）。
【００３８】
また、ステップＳＴ２０７において、通話を終了しない場合、通話を終了する意思表示があるまで通話を継続する。
【００３９】
このように、本実施の形態によれば、受信した自動車識別情報のナンバープレートの番号と記憶している自動車固有情報のナンバープレートの番号とが一致した場合に通話希望者と自動車の所有者との通話を開始するので、通信相手を呼び出すためのサーバーを作成する必要がなくてコストを低減することができるとともに、個人情報の漏洩を防ぐことができる。また、本実施の形態によれば、自動車の所有者が通話を拒否したい場合には通話を解除することができるので、通話したくない場合または通話できない場所において通話を強要されるという煩わしさをなくすることができる。また、本実施の形態によれば、自動車識別情報及び自動車固有情報にナンバープレートの番号の情報を用いるので、簡単な方法にて各自動車を識別することができるとともに、新たに各自動車を識別するための識別情報を作成する必要がないので、システム全体のコストを低減することができる。
【００４０】
なお、本実施の形態において、通話希望者から送信される自動車識別情報は赤外線にて送信することとしたが、これに限らず、携帯電話、無線ＬＡＮ及びブルートゥース等の任意のシステムを用いて送信することが可能であり、また、必ずしも無線である必要はなく、スイッチを自動車に設けて通話希望者がスイッチを操作することにより自動車識別情報が通信装置１００に入力されるようにしても良い。また、本実施の形態において、自動車識別情報及び自動車固有情報はナンバープレートの番号にしたが、これに限らず、任意の自動車を識別できる情報を用いることが可能である。また、本実施の形態において、自動車の所有者を呼び出して通話することとしたが、これに限らず、通信装置１００を自転車に取り付けることにより自転車の所有者を呼び出す等のように、通信装置１００を任意の物に取り付けてその所有者を呼び出す場合に適用可能である。
【産業上の利用可能性】
【００４１】
本発明にかかる通信装置及び通信方法は、通信相手を呼び出すためのサーバーを作成する必要がないのでコストを低減することができるとともに、個人情報の漏洩を防ぐ効果を有し、通信相手を呼び出して通話するのに有用である。
【図面の簡単な説明】
【００４２】
【図１】本発明の実施の形態に係る通信装置の構成を示すブロック図
【図２】本発明の実施の形態に係る自動車の所有者を呼び出して通話する方法を示すフロー図
【図３】本発明の実施の形態に係る通話希望者と自動車の所有者とが通話する状態を示す模式図
【図４】従来の通信システムを示すシステム構成図
【符号の説明】
【００４３】
１００  通信装置
１０１  受信回路
１０２  記憶部
１０３  記憶部
１０４  比較回路
１０５  発呼回路
１０６  通話者確認用入力部
１０７  音声入力部
１０８  音声出力部
１０９  データ切り替え部
【図１】
2005244485.tif 000003
【図２】
2005244485.tif 000004
【図３】
2005244485.tif 000005
【図４】
2005244485.tif 000006